(57)【要約】【課題】従来の収納容器は収納容器の外観デザインが変更になった場合にはラセン部材もデザインに合わせて変更する必要があり、内部構造部材を共通化することができないので、高価な金型が新規に必要になる、という課題があった。【解決手段】収納容器の外観デザインが変更になった場合でもラセン部材をデザインに合わせて変更する必要が無い口紅等の収納容器を提供するという目的を、ラセン部材の上部外周を覆いラセン部材の突片が外方へ広がることを阻止するリング部材を使用するということで実現した。【選択図】        図１
2004290424.tif 000002
【特許請求の範囲】
【請求項１】
筒状に形成され中央に環状凸部を有し下方部には軸芯方向の切り割り溝が形成された内筒部材と、この内筒部材の下部を覆い上端部より上方に突出する前記内筒部材の環状凸部と対応する位置に環状凹部が形成された複数個の突片が設けられさらに内筒部材の切り割り溝と対応する部位にはラセン溝が形成された合成樹脂材による円筒形状のラセン部材と、このラセン部材の上部外周を覆いラセン部材の突片が外方へ広がることを阻止するリング部材と、棒状化粧品を収納し前記内筒部材内に上下移動可能に取り付けられた皿部材と、この皿部材の下方に形成された前記内筒部材の切り割り溝およびラセン部材のラセン溝と係合し皿部材を上下移動させることのできる係合ピンと、上部に蓋嵌合部が形成されラセン部材を回動不能及び抜け出し不能に覆うハカマ部材とから構成される口紅等の収納容器。
【請求項２】
リング部材は内筒部材の位置決めをするため、その外周面の少なくとも一部がハカマ部材内面に着接状態に覆われていることを特徴とする請求項１記載の口紅等の収納容器。
【発明の詳細な説明】
【０００１】
【発明が属する技術分野】
本発明は口紅等の棒状化粧品を収納する収納容器に関するものである。
【０００２】
【従来の技術】
従来の口紅等の収納容器は、筒状に形成され中央に環状凸部を有し下方部には軸芯方向の切り割り溝が形成された内筒部材と、この内筒部材の下部を覆い上端部より上方に突出する前記内筒部材の環状凸部と対応する位置に環状凹部が形成された複数個の突片が設けられさらに内筒部材の切り割り溝と対応する部位にはラセン溝が形成された合成樹脂材によるラセン部材と、棒状化粧品を収納し前記内筒部材内に上下移動可能に取り付けられた皿部材と、この皿部材の下方に形成された前記内筒部材の切り割り溝およびラセン部材のラセン溝と係合し皿部材を上下移動させることのできる係合ピンと、上部に蓋嵌合部が形成されラセン部材を回動不能及び抜け出し不能に覆うハカマ部材とで構成されていた。
【０００３】
【発明が解決しようとする課題】
このように構成された従来の口紅等の収納容器は、内筒部材とラセン部材の分解を防止するためラセン部材の突片が外方へ広がることを阻止する必要があり、そのためハカマ部材の上部、あるいはハカマ部材上部に形成された蓋嵌合部材の内面形状はラセン部材の突片が外方へ広がることを阻止できる形状とする、という構造が使用されていた。
そのため収納容器の外観デザインが変更になった場合にはラセン部材もデザインに合わせて変更する必要があり、内部構造部材を共通化することができないので、高価な金型が新規に必要になる、という欠点があった。
【０００４】
本発明は以上のような従来の欠点に鑑み、収納容器の外観デザインが変更になった場合でもラセン部材をデザインに合わせて変更する必要が無い口紅等の収納容器を提供することを目的としている。
【０００５】
【課題を解決するための手段】
上記課題を解決するため、本発明は筒状に形成され中央に環状凸部を有し下方部には軸芯方向の切り割り溝が形成された内筒部材と、この内筒部材の下部を覆い上端部より上方に突出する前記内筒部材の環状凸部と対応する位置に環状凹部が形成された複数個の突片が設けられさらに内筒部材の切り割り溝と対応する部位にはラセン溝が形成された合成樹脂材による円筒形状のラセン部材と、このラセン部材の上部外周を覆いラセン部材の突片が外方へ広がることを阻止するリング部材と、棒状化粧品を収納し前記内筒部材内に上下移動可能に取り付けられた皿部材と、この皿部材の下方に形成された前記内筒部材の切り割り溝およびラセン部材のラセン溝と係合し皿部材を上下移動させることのできる係合ピンと、上部に蓋嵌合部が形成されラセン部材を回動不能及び抜け出し不能に覆うハカマ部材とから構成されるという手段を用いている。
【０００６】
【発明の実施の形態】
収納容器の外観デザインが変更になった場合でもラセン部材をデザインに合わせて変更する必要が無い口紅等の収納容器を提供するという目的を、ラセン部材の上部外周を覆いラセン部材の突片が外方へ広がることを阻止するリング部材を使用するということで実現した。
【０００７】
【実施例】
以下、図面に示す実施例により本発明を詳細に説明する。
図１ないし図４に示す発明の第１の実施例において、１は内筒部材でこの内筒部材１は両端が開口された筒状に形成され、中央には外方へ向いた環状凸部２を有し下方部には軸芯方向の切り割り溝３が形成されている。
【０００８】
４はラセン部材で、このラセン部材４は合成樹脂材によって円筒形状に形成され、内筒部材１の下部を回動可能に覆い、さらに内筒部材１の切り割り溝３と対応する部位の内面にはラセン溝５が形成されている。
さらにこのラセン部材４は、その上端部より上方に突出する複数個の突片６が設けられ、この突片６内には前記内筒部材１の環状凸部２と対応する位置に環状凹部７が形成され、この環状凹部７内に環状凸部２が入り込むことで、内筒部材１とラセン部材４を抜け出し不能としている。
【０００９】
８は前記ラセン部材４の上部に係止されるリング部材で、このリング部材８はラセン部材４の上部外周を覆いラセン部材４の突片６が外方へ広がることを阻止している。
【００１０】
９は棒状化粧品１０を収納保持した皿部材で、この皿部材９は前記内筒部材１内に上下移動可能に取り付けられているもので、この皿部材９の下方には内筒部材１の切り割り溝３およびラセン部材４のラセン溝５と係合する係合ピン１１が形成され、内筒部材１とラセン部材４を回動させることによって皿部材９を内筒部材１内で上下移動させることのできるように構成されている。
【００１１】
１２はラセン部材４の外周を抜け出し不能に覆うハカマ部材で、このハカマ部材１２は、上部には蓋嵌合部１３が形成された蓋嵌合部材１４とハカマ１５より構成され、さらにこのハカマ部材１２の内面には前記ラセン部材４に形成された係止部１６と係合してラセン部材４を回動不能に係止する係止リブ１７が形成されている。なお、蓋嵌合部材１４とハカマ１５は一部品で構成されているものであっても良い。
【００１２】
１８は前記ハカマ部材１２に形成された蓋嵌合部１３と着脱自在に嵌合する蓋である。
【００１３】
このように構成された口紅等の収納容器１９は内筒部材１とラセン部材４をセットし、その後でラセン部材４にリング部材８をセットすることで内筒部材１とラセン部材４の分解を確実に防止することができる。さらにラセン部材４はハカマ部材１２の嵌合部材１３の下部と当接することによりラセン部材４とハカマ部材１２の分解も防止でき、ラセン部材４に形成された係止部１６とハカマ部材１２の係止リブ１７の作用によって、ラセン部材４とハカマ部材１２が回動することを防止することができる。
【００１４】
【発明の異なる実施例】
次に本発明の異なる実施例につき説明する。なお、これらの説明にあたって前記発明の第１の実施例と同一構成部分には同一符号を付して重複する説明を省略する。
【００１５】
図５ないし図６に示す発明の第２の実施例において、前記発明の第１の実施例と主に異なる点は、口紅等の収納容器１９Ａのデザインが角形になった場合で、このように角形になった場合でも、蓋１８Ａ、蓋嵌合部材１４とハカマ１５Ａで形成されるハカマ部材１２Ａが角形になるだけで内部の内筒部材１、皿部材９、ラセン部材４、リング部材８はそのままなんら変更することもなく使用することができる。
【００１６】
図６ないし図７に示す発明の第３の実施例において、前記発明の第１の実施例と主に異なる点はリング部材８Ｂで、このリング部材８Ｂは内筒部材１のハカマ部材１２に対しての位置決めをするため、その外周面の少なくとも一部がハカマ部材１２の内面に着接する状態にハカマ部材１２に覆われているもので、このようなリング部材８Ｂとすることで、内筒部材１とハカマ部材１２の軸心がずれることを防止することができ、それによって内筒部材１とハカマ部材１２の上部が接触して繰り出しの調子が悪くなることを防止することができる。また、図の説明ではリング部材８Ｂの外周面に複数個の突起２０を設けたものについて説明してあるが、これに限らずリング部材８Ｂの外面をハカマ部材１２上部内面とほぼ同一形状としたものであっても良い。このように構成された口紅等の収納容器１９Ｂとしても良い。
【００１７】
【発明の効果】
本発明は以上説明したように構成されているので、以下に記載されるような効果を奏する。
【００１８】
収納容器の外観デザインが変更になった場合にはでもラセン部材をデザインに合わせて変更する必要がなく、内部構造部材を共通化することができるので、高価な金型が必要にはならない。それによって収納容器の外観デザインも自由に選ぶことができる。
【００１９】
請求項２では内筒部材のハカマ部材に対しての位置決めをすることができる。それによって内筒部材とハカマ部材上部が接触して繰り出しの調子が悪くなることを防止することができる。
【図面の簡単な説明】
【図１】発明の断面図である。（実施例１）
【図２】発明の断面図である。（実施例１）
【図３】発明のリング部材、ラセン部材の斜視図である。（実施例１）
【図４】発明のハカマ部材の斜視図である。（実施例１）
【図５】発明の断面図である。（実施例２）
【図６】発明のハカマ部材の斜視図である。（実施例２）
【図７】発明の断面図である。（実施例３）
【図８】発明のリング部材、ラセン部材の斜視図である。（実施例３）
【符号の説明】
１    内筒部材
２    環状凸部
３    切り割り溝
４    ラセン部材
５    ラセン溝
６    突片
７    環状凹部
８、８Ｂ    リング部材
９    皿部材
１０  棒状化粧品
１１  係合ピン
１２、１２Ａ  ハカマ部材
１３  蓋嵌合部
１４、１４Ａ  蓋嵌合部材
１５、１５Ａ  ハカマ
１６  係止部
１７  係止リブ
１８、１８Ａ  蓋
１９、１９Ａ、１９Ｂ  口紅等の収納容器
２０  突起
【図１】
2004290424.tif 000003
【図２】
2004290424.tif 000004
【図３】
2004290424.tif 000005
【図４】
2004290424.tif 000006
【図５】
2004290424.tif 000007
【図６】
2004290424.tif 000008
【図７】
2004290424.tif 000009
【図８】
2004290424.tif 000010